(57)【要約】【課題】  レンズを操作するためのドライブユニットのように機能設定のために設定スイッチや表示パネルを用いて文字表示による設定を行っている。そのためユーザーインターフェースが優れているため機能設定が容易になっている。一方、現状のズームレンズ用デマンドは各機能を設定するために付属しているスイッチを操作してセグメント表示を見ながら設定している。そのためデマンドの既存スイッチでは設定操作が難しく、視認性が良くないという問題がある。【解決手段】  ズームデマンドやフォーカスデマンドの設定を行うために、レンズ側にある表示パネルや機能設定スイッチを使用して設定を行うことを特徴とする。【選択図】  図１
2020136974.tif 000002
【特許請求の範囲】
【請求項１】
テレビカメラ用のレンズ装置は、
機能設定のための文字や図形の表示が可能な表示手段（表示パネル）と、
前記機能設定のための前記表示手段と連動した機能設定手段（十字キー）を有し、
前記レンズ装置のレンズを制御するためのレンズ制御手段（デマンド）が接続可能で、
前記レンズ装置と前記レンズ制御手段（デマンド）は通信手段を有し、
前記通信手段を通して、
前記レンズ制御手段（デマンド）は前記レンズ装置を制御するとともに、
前記レンズ装置より前記レンズ制御手段（デマンド）の機能設定が可能で、
前記レンズ制御手段（デマンド）は、設定された機能を記憶する記憶手段を有することを特徴とするレンズシステム。
【請求項２】
前記レンズ装置の電源が入力されている状態で前記レンズ制御手段（デマンド）が接続されたときは、前記レンズ制御手段（デマンド）の機能設定が優先されて前記表示手段に表示されることを特徴とする請求項１に記載のレンズシステム。
【発明の詳細な説明】
【技術分野】
【０００１】
本発明は、放送およびシネマ用レンズシステムに関する。
【背景技術】
【０００２】
テレビジョン撮影に用いられる撮影装置は、ＴＶカメラ本体とＴＶレンズで構成され、ＴＶレンズをＴＶカメラに装着して使用される。主にスタジオやフィールドなどでペデスタルや三脚などに固定して使用されるＴＶレンズにはズームレンズやフォーカスレンズなどを操作するためのデマンドをＴＶレンズに装着してサーボ操作を行う。このときズームレンズなどを操作するためのデマンドをズームデマンド、フォーカスレンズなどを操作するためのデマンドをフォーカスデマンドと言う。
【０００３】
また、主に肩に担いで撮影をするＴＶカメラのＴＶレンズを操作するためにドライブユニットと呼ばれる操作装置があり、ズームやアイリスを電動で制御できるように構成されている。
【０００４】
ズームデマンドにはセグメントＬＥＤが構成され、ズームデマンドに搭載されたスイッチによりセグメントＬＥＤ情報を参照にしながらデマンド機能の設定を行えるようになっている。また、ズームデマンドに搭載されたディップスイッチによりズームデマンド機能を設定できるものもある。一方、ドライブユニットには機能設定用スイッチや表示パネルが構成されており、ＧＵＩを用いて各機能をユーザー別に設定できるようになっている。
【０００５】
特許文献１には、操作スイッチや表示パネルを用いてレンズ情報の表示技術が公開されている。特許文献２には、機能設定スイッチや表示パネルを用いてＧＵＩによるユーザー別機能設定の技術が公開されている。
【先行技術文献】
【特許文献】
【０００６】
【特許文献１】特開２００５−７０６３５号公報
【特許文献２】特許第４１８１９０７号公報
【発明の概要】
【発明が解決しようとする課題】
【０００７】
図４に示すようにレンズを操作するためのドライブユニットやレンズの横に配置された機能設定のための設定スイッチや表示パネルを用いて文字表示によって設定を行っている。そのためユーザーインターフェースが優れているため機能設定が容易になっている。
【０００８】
一方、現状のズームレンズ用デマンドは図２に示すように各機能を設定するために表示パネルのメニューの移動や決定は付属しているスイッチを兼用して上矢印側や下矢印側に操作することで内容の変更を行ったり、丸印のように割り当てられたスイッチを押すことで決定をしたりしてセグメント表示を見ながら設定している。そのためデマンドの既存スイッチでは設定操作が難しく、また設定内容が分かりにくいという問題があるため、操作者の意図通りに機能しなかったり設定ミスをしたり、ボタンを間違えて捜査してしまう可能性がある。
【０００９】
また、レンズに装着可能なデマンドにはズーム用とフォーカス用が存在するため、レンズおよびそれぞれのデマンドにて設定を行わなければならないという煩雑さが存在する。
【課題を解決するための手段】
【００１０】
上記の課題を解決するために、本発明に係るレンズシステムは、
レンズに存在する表示パネルや機能設定用スイッチを用いて、デマンド機能の各設定を行えるようにすることを特徴とする。
【発明の効果】
【００１１】
本発明に係るレンズシステムによれば、レンズに装備された表示パネルや設定スイッチを使用してデマンドの機能設定を行うことにより操作性に優れた機能設定が可能となる。
【図面の簡単な説明】
【００１２】
【図１】構成ブロック図
【図２（ａ）】システム図
【図２（ｂ）】システム図
【図３（ａ）】機能設定スイッチ、表示パネルを表す図
【図３（ｂ）】表示スイッチを表す図
【図４（ａ）】レンズ外観図
【図４（ｂ）】レンズ外観図
【図５】機能設定メニューフロー
【図６】メインメニュー設定フロー
【図７】レンズ設定フロー
【図８】レンズスイッチ割付フロー
【図９】レンズズームシーソー設定フロー
【図１０】レンズズーム速度指令ゲイン設定フロー
【図１１】ズームデマンド設定メニューフロー
【図１２】ズームデマンド出力曲線設定フロー
【図１３】フォーカスデマンド設定メニューフロー
【図１４】フォーカスデマンド回転方向設定フロー
【図１５】ＡＦモード設定フロー
【図１６】ＡＦ追従速度設定フロー
【図１７（ａ）】デマンド外観図
【図１７（ｂ）】デマンド外観図
【図１８】メインメニューディスプレイ表示例
【図１９（ａ）】レンズやデマンドの設定メインメニュー表示例
【図１９（ｂ）】レンズやデマンドの設定メインメニュー表示例
【図１９（ｃ）】レンズやデマンドの設定メインメニュー表示例
【図２０（ａ）】レンズ機能設定メニュー例
【図２０（ｂ）】レンズ機能設定メニュー例
【図２０（ｃ）】レンズ機能設定メニュー例
【図２０（ｄ）】レンズ機能設定メニュー例
【図２１（ａ）】ズームデマンド機能設定メニュー例
【図２１（ｂ）】ズームデマンド機能設定メニュー例
【図２１（ｃ）】ズームデマンド機能設定メニュー例
【図２１（ｄ）】ズームデマンド機能設定メニュー例
【図２１（ｅ）】ズームデマンド機能設定メニュー例
【図２１（ｆ）】ズームデマンド機能設定メニュー例
【図２１（ｇ）】ズームデマンド機能設定メニュー例
【図２１（ｈ）】ズームデマンド機能設定メニュー例
【図２２（ａ）】フォーカスデマンド機能設定メニュー例
【図２２（ｂ）】フォーカスデマンド機能設定メニュー例
【図２２（ｃ）】フォーカスデマンド機能設定メニュー例
【図２２（ｄ）】フォーカスデマンド機能設定メニュー例
【図２２（ｅ）】フォーカスデマンド機能設定メニュー例
【図２２（ｆ）】フォーカスデマンド機能設定メニュー例
【図２２（ｇ）】フォーカスデマンド機能設定メニュー例
【図２３】システム図
【発明を実施するための形態】
【００１３】
以下、本発明を実施するための形態について、図面を参照しながら詳細に説明する。
【実施例】
【００１４】
以下、本発明の実施例を説明する。
【００１５】
図１は、構成ブロック図である。
【００１６】
１０１はレンズ、１０２はカメラシステム、１０３はカメラシステム１０２を乗せるペデスタル、１０４はレンズ１０１の図示していないズームレンズを制御するためのズームデマンドで、レンズ１０１に接続してレンズ１０１と双方向に通信可能となっている。１０５はレンズ１０１のフォーカスレンズを制御するための図示していないフォーカスデマンドで、レンズ１０１に接続してレンズ１０１と双方向に通信可能となっている。またカメラマン１０６は撮影のために図１に示すようにズームデマンド１０４とフォーカスデマンド１０５の間でカメラシステム１０２の前に立って操作を行うことが一般的である。
【００１７】
ズームデマンド１０４とレンズ１０１の通信は、レンズ１０１にあるズームレンズの制御信号やズームデマンド１０４に搭載されているスイッチ情報などをレンズ１０１に送信可能となっている。またレンズ１０１からの情報、例えばズームレンズやフォーカスレンズ、ＩＲＩＳなどの位置情報やズームデマンド１０４の設定要求情報などをズームデマンド１０４に送信可能となっている。フォーカスデマンド１０５とレンズ１０１の通信は、レンズ１０１にあるフォーカスレンズの制御信号やフォーカスデマンド１０５に搭載されているスイッチ情報などをレンズ１０１に送信可能となっている。またレンズ１０１からの情報、例えばズームレンズやフォーカスレンズ、ＩＲＩＳなどの位置情報やフォーカスデマンド１０５の設定要求情報などをフォーカスデマンド１０５に送信可能となっている。
【００１８】
図２３を用いて、システムの説明を行う。
【００１９】
レンズ１０１には、ＣＰＵａ２３０１が搭載され、レンズ１０１の統括管理を行っている。
【００２０】
２３０４はズームレンズ、２３０５はフォーカスレンズ、２３０６はＩＲＩＳで、ドライバ２３０３を通してＣＰＵａ２３０１により制御可能となっている。ＣＰＵａ２３０１は表示パネル３１１、機能設定スイッチ３００によりレンズ１０１、ズームデマンド１０４、フォーカスデマンド１０５の各機能設定や表示スイッチ３１２により表示パネル３１１のオン／オフ制御を行っている。またシーソースイッチ２３０７はレンズ１０１のズームレンズ２３０４を制御するためのコントロール信号を作っている。レンズ１０１の設定された機能は記憶部ａ２３０２に記憶される。ズームデマンド１０４には、ＣＰＵｂ２３１１が搭載され、ズームデマンド１０４の統括管理を行っている。
【００２１】
ＣＰＵｂ２３１１はレンズ１０１のＣＰＵａ２３０１と双方向通信が可能となっている。レンズ１０１のズームレンズ２３０４を制御するためのコントロール信号を作るサムリング２３１３が搭載されている。記憶部ｂ２３１２は、レンズ１０１からの機能設定情報やズームデマンド１０４自身で設定を行った設定情報などを記憶するための記憶部である。ズームデマンド１０４とレンズ１０１との通信はズームデマンド１０４からのズームレンズ２３０４の制御信号の他、スイッチ情報、ズームデマンド１０４の機能設定情報などを通信している。レンズ１０１に搭載されているスイッチ類は、ズームデマンド１０４の種類によって異なるため、図２３では図示していない。
【００２２】
フォーカスデマンド１０５には、ＣＰＵｃ２３２１が搭載され、フォーカスデマンド１０４の統括管理を行っている。ＣＰＵｃ２３２１はレンズ１０１のＣＰＵａ２３０１と双方向通信が可能となっている。レンズ１０１のフォーカスレンズ２３０５を制御するためのコントロール信号を作る操作ノブ２３２３が搭載されている。記憶部ｃ２３２２は、レンズ１０１からの機能設定情報やフォーカスデマンド１０５自身で設定を行った設定情報などを記憶するための記憶部である。フォーカスデマンド１０５とレンズ１０１との通信はフォーカスデマンド１０５からのフォーカスレンズ２３０５の制御信号の他、スイッチ情報、フォーカスデマンド１０５の機能設定情報などを通信している。フォーカスデマンド１０５に搭載されているスイッチ類は、フォーカスデマンド１０５の種類によって異なるため、図２３では図示していない。カメラシステム１０２には、ＣＰＵｄ２３３１が搭載され、レンズ１０１のＣＰＵａ２３０１と双方向通信が可能となっている。
【００２３】
図１７（ａ）は、ズームデマンドの一例である。
【００２４】
ズームデマンド１０４にはサムリングと呼ばれる操作部材の操作でズームレンズ速度指令を通信によりレンズ１０１に送信する。このズームレンズ速度指令に基づいてレンズ１０１はズームレンズをテレ側やワイド側へ移動させる。またＲＣ１、ＲＣ２と呼ばれる記憶されたズーム位置に移動させるためのスイッチ、プロデューサやエンジニアリングなどとインカムを通して通話をするためのＥＮＧスイッチ、ＰＲＯＤスイッチがある。さらにレンズ１０１にあるエクステンダーの倍率を変えるためのエクステンダースイッチ、カメラシステム１０２のビューファーの切り替えを行う複数のＲＥＴスイッチや拡張スイッチであるＡＵＸなども存在している。
【００２５】
図１７（ｂ）は、フォーカスデマンドの一例である。
【００２６】
フォーカスデマンド１０５には操作ノブと呼ばれる操作部材の操作でフォーカスレンズ位置指令を通信によりレンズ１０１に送信する。このフォーカスレンズ位置指令に基づいてレンズ１０１はフォーカスレンズを無限側や至近側へ移動させる。またレンズ１０１のＡＦ操作を開始するためのＡＦスイッチやＡＦ枠を移動させるためのＡＦ枠移動スイッチが存在している。さらにレンズ１０１の防振機能を要求するためのＩＳスイッチや拡張スイッチであるＡＵＸスイッチなどが存在している。
【００２７】
図３を用いて、レンズ１０１に搭載されている表示パネルおよび機能設定スイッチの説明を行う。
【００２８】
３１１は表示パネル、３１０は機能設定スイッチ、３１２は表示パネル３１０の表示のオン・オフをおこなう表示スイッチで省電力のために必要な時に表示するように構成されている。機能設定スイッチ３００は４つの矢印キー（３０１、３０２、３０３、３０４）および決定キー３０５で構成されている。矢印キーを押すことにより表示パネル３１０に表示されているメニューの移動や複数ある機能の中から一つを選択することができる。
【００２９】
図５を用いて、機能設定メニューフローであるSetFuncModeSubの説明を行う。
【００３０】
ステップＳ５０１で表示スイッチのオン・オフを確認する。オフ状態であれば、ステップＳ５０１へ戻る。オン状態であればステップＳ５０２へ行く。
【００３１】
ステップＳ５０２では、機能設定モードメインメニューフローであるSetMainMenuSubを呼び出す。そしてＳ５０１へ行く。
【００３２】
図６を用いて機能設定モードメインメニューフローであるSetMainMenuSubの説明を行う。
【００３３】
ステップＳ６０１では機能設定スイッチ操作を確認する。操作が無い場合は、ステップＳ６０１に行く。操作が有りと判断した場合は、ステップＳ６０２に行く。
【００３４】
ステップＳ６０２では操作されたスイッチの種類を確認する。左右キー（３０４もしくは３０３）の操作の場合は、ステップＳ６０１に行く。上下キー（３０１もしくは３０２）の操作の場合は、ステップＳ６０３に行く。
【００３５】
ステップＳ６０３では選択中のメニューの変更を行う。上キー３０１の操作の場合は、選択されたメニューを一つ上に上げる。また下キー３０２の操作の場合は、選択されたメニューを一つ下に下げる。そしてステップＳ６０１に行く。また決定キー３０５の操作が行われた場合は、ステップＳ６０４に行く。
【００３６】
ステップＳ６０４では選択されたメニュー階層に移動を行う。選択されたメニューが「レンズ設定」の場合は、ステップＳ６０５へ行き、レンズ設定フローであるSetLensFuncSubを呼び出す。
【００３７】
そしてステップＳ６０１へ行く。選択されたメニューが「ズームデマンド設定」の場合は、ステップＳ６０６へ行き、ズームデマンド設定フローであるSetZDemFuncSubを呼び出す。そしてステップＳ６０１へ行く。
【００３８】
選択されたメニューが「フォーカスデマンド設定」の場合は、ステップＳ６０７へ行きフォーカスデマンド設定フローであるSetFDemFuncSubを呼び出す。そしてステップＳ６０１へ行く。選択されたメニューが「終了」の場合は、ステップＳ６０８へ行く。
【００３９】
ステップＳ６０８では設定が終了したことが確認されたためフローを終了する。
【００４０】
図１８は、このフローにおける表示パネルにおけるメニュー表示である。反転表示しているものが選択されているメニューである。
【００４１】
また、図１９（ａ）はSetMainMenuSubのフローで「レンズ設定」が選択決定された場合、図１９（ｂ）は「ズームデマンド設定」が選択決定された場合、図１９（ｃ）は「フォーカスデマンド設定」が選択決定された場合のメニュー表示である。
【００４２】
図７を用いてレンズ設定フローであるSetLensFuncSubの説明を行う。
【００４３】
ステップＳ７０１では機能設定スイッチ操作を確認する。操作が無い場合は、ステップＳ７０１に行く。操作が有りと判断した場合は、ステップＳ７０２に行く。
【００４４】
ステップＳ７０２では操作されたスイッチの種類を確認する。左右キー（３０４もしくは３０３）の操作の場合は、ステップＳ７０１に行く。上下キー（３０１もしくは３０２）の操作の場合は、ステップＳ７０３へ行く。
【００４５】
ステップＳ７０３では選択中のメニューの変更を行う。上キー３０１の操作の場合は、選択されたメニューを一つ上に上げる。また下キー３０２の操作の場合は、選択されたメニューを一つ下に下げる。そしてステップＳ７０１に行く。また決定キー３０５の操作が行われた場合は、ステップＳ７０４に行く。
【００４６】
ステップＳ７０４では選択されたメニュー階層に移動を行う。選択されたメニューが「スイッチ割付」の場合は、ステップＳ７０５へ行き、レンズスイッチ割付フローであるSetLensSwFuncSubを呼び出す。そしてステップＳ７０１へ行く。
【００４７】
選択されたメニューが「ズームシーソー方向」の場合は、ステップＳ７０６へ行き、ズームシーソー方向設定フローであるSetZSeesawDirSubを呼び出す。そしてステップＳ７０１へ行く。
【００４８】
選択されたメニューが「ズーム速度指令ゲイン」場合は、ステップＳ７０７へ行きズーム速度ゲイン設定フローであるSetLensZSpeedGainSubを呼び出す。そしてステップＳ７０１へ行く。
【００４９】
選択されたメニューが「戻る」の場合はステップＳ７０８へ行く。ステップＳ７０８ではひとつ上のメニュー階層に移動する。そして終了する。
【００５０】
図２０（ａ）はSetMainMenuSubのフローで「レンズ設定」が選択決定された場合のメニュー表示である。この画面にて、機能設定スイッチ３００の上下キー（３０１もしくは３０２）により設定したいメニューを選択し、決定キー３０５により選択決定する。
【００５１】
図８を用いてレンズスイッチ割付設定フローであるSetLensSwFuncSubの説明を行う。
【００５２】
ステップＳ８０１では機能設定スイッチ操作を確認する。操作が無い場合は、ステップＳ８０１に行く。操作が有りと判断した場合は、ステップＳ８０２に行く。
【００５３】
ステップＳ８０２では操作されたスイッチの種類を確認する。左右キー（３０４もしくは３０３）の操作の場合は、ステップＳ８０３に行く。
【００５４】
ステップＳ８０３では割付先のスイッチの種類を変更する。そしてステップＳ８０１に行く。上下キー（３０１もしくは３０２）の操作の場合は、ステップＳ８０４に行く。
【００５５】
ステップＳ８０４では選択中のメニューの変更を行う。上キー３０１の操作の場合は、選択されたメニューを一つ上に上げる。また下キー３０２の操作の場合は、選択されたメニューを一つ下に下げる。そしてステップＳ８０１に行く。また決定キー３０５の操作が行われた場合は、ステップＳ８０５に行く。
【００５６】
ステップＳ８０５では選択された選択中のメニューの確認を行う。選択されたメニューが「戻る」の場合は、ステップＳ８０６に行く。
【００５７】
選択されたメニューが「戻る」以外の場合は、ステップＳ８０１へ行くステップＳ８０６ではひとつ上のメニュー階層に移動する。そして終了する。
【００５８】
図２０（ｂ）は、「ＳＷ割付」が選択決定された場合のメニュー表示である。この画面にて、機能設定スイッチ３００の上下キー（３０１もしくは３０２）により設定したいレンズのスイッチを選択する。反転している文字が選択されているスイッチである。割り付けたいスイッチを左右キー（３０４もしくは３０３）にて、選択する。ここではＶＴＲスイッチとＲＥＴスイッチの機能が入れ替え設定可能になっている。またＡＵＸ１スイッチとＡＵＸ２スイッチはシャトル機能（Ｓｈｔｌ）とフレーミング機能（ＦＲＭ）の設定が可能となっている。シャトル機能とはスイッチがオンしたときに、予め設定されたズームレンズ２３０４の位置に移動し、スイッチがオフされたときに移動前の位置に戻ってくる機能である。またフレーミング機能とは予め設定されたズームレンズ２３０４の位置に移動する機能である。
【００５９】
図９を用いてレンズのズームシーソー方向設定フローであるSetZSeesawDirSubの説明を行う。
【００６０】
ステップＳ９０１では機能設定スイッチ操作を確認する。操作が無い場合は、ステップＳ９０１に行く。操作が有りと判断した場合は、ステップＳ９０２に行く。
【００６１】
ステップＳ９０２では操作されたスイッチの種類を確認する。左右キー（３０４もしくは３０３）の操作の場合は、ステップＳ９０３に行く。
【００６２】
ステップＳ９０３ではシーソー方向の変更をする。そしてステップＳ９０１に行く。上下キー（３０１もしくは３０２）の操作の場合は、ステップＳ９０４に行く。
【００６３】
ステップＳ９０４では選択中のメニューの変更を行う。上キー３０１の操作の場合は、選択されたメニューを一つ上に上げる。また下キー３０２の操作の場合は、選択されたメニューを一つ下に下げる。そしてステップＳ９０１に行く。また決定キー３０５の操作が行われた場合は、ステップＳ９０５に行く。
【００６４】
ステップＳ９０５では選択された選択中のメニューの確認を行う。選択されたメニューが「戻る」の場合は、ステップＳ９０６に行く。選択されたメニューが「戻る」以外の場合は、ステップＳ９０１へ行く。
【００６５】
ステップＳ９０６ではひとつ上のメニュー階層に移動する。そして終了する。
【００６６】
図２０（ｃ）は、「ズームシーソー方向」が選択決定された場合のメニュー表示である。この画面にて、機能設定スイッチ３００の左右キー（３０４もしくは３０３）により設定したいシーソーの割り付け方向を選択する。標準で割り付けられている方向をそのまま使用するか反転して使用するかを決めることが可能である。
【００６７】
図１０を用いてレンズのズーム速度指令ゲイン設定フローであるSetLensZSpeedGainSubの説明を行う。
【００６８】
ステップＳ１００１では機能設定スイッチ操作を確認する。操作が無い場合は、ステップＳ１００１に行く。操作が有りと判断した場合は、ステップＳ１００２に行く。
【００６９】
ステップＳ１００２では操作されたスイッチの種類を確認する。左右キー（３０４もしくは３０３）の操作の場合は、ステップＳ１００３に行く。
【００７０】
ステップＳ１００３ではズーム速度指令のゲインの変更をする。左キー３０４の操作の場合は、ゲインを低くなるように変更する。また右キー３０３の操作の場合は、ゲインを高くなるように変更する。そしてステップＳ１００１に行く。上下キー（３０１もしくは３０２）の操作の場合は、ステップＳ１００４に行く。
【００７１】
ステップＳ１００４では選択中のメニューの変更を行う。上キー３０１の操作の場合は、選択されたメニューを一つ上に上げる。また下キー３０２の操作の場合は、選択されたメニューを一つ下に下げる。そしてステップＳ１００１に行く。また決定キー３０５の操作が行われた場合は、ステップＳ１００５に行く。
【００７２】
ステップＳ１００５では選択された選択中のメニューの確認を行う。選択されたメニューが「戻る」の場合は、ステップＳ１００６に行く。選択されたメニューが「戻る」以外の場合は、ステップＳ１００１へ行く。
【００７３】
ステップＳ１００６ではひとつ上のメニュー階層に移動する。そして終了する。
【００７４】
図２０（ｄ）は、「ズーム速度指令ゲイン」が選択決定された場合のメニュー表示である。この画面にて、機能設定スイッチ３００の左右キー（３０４もしくは３０３）により設定したいズームシーソースイッチによる速度指令のゲインを選択する。左キー３０４によりゲインが小さくなり、右キー３０３によりゲインが大きくなるように設定が可能である。
【００７５】
図１１を用いてズームデマンド設定フローであるSetZDemFuncSubの説明を行う。
【００７６】
ステップＳ１１０１では機能設定スイッチ操作を確認する。操作が無い場合は、ステップＳ１１０１に行く。操作が有りと判断した場合は、ステップＳ１１０２に行く。
【００７７】
ステップＳ１１０２では操作されたスイッチの種類を確認する。左右キー（３０４もしくは３０３）の操作の場合は、ステップＳ１１０１に行く。上下キー（３０１もしくは３０２）の操作の場合は、ステップＳ１１０３へ行く。
【００７８】
ステップＳ１１０３では選択中のメニューの変更を行う。上キー３０１の操作の場合は、選択されたメニューを一つ上に上げる。また下キー３０２の操作の場合は、選択されたメニューを一つ下に下げる。そしてステップＳ１１０１に行く。また決定キー３０５の操作が行われた場合は、ステップＳ１１０４に行く。
【００７９】
ステップＳ１１０４では選択されたメニュー階層に移動を行う。選択されたメニューが「スイッチ割付」の場合は、ステップＳ１１０５へ行き、ズームデマンドスイッチ割付フローであるSetZDemSwFuncSubを呼び出す。そしてステップＳ１１０１へ行く。選択されたメニューが「サムリング方向」の場合は、ステップＳ１１０６へ行き、サムリンリング方向設定フローであるSetZThumbRingDirSubを呼び出す。そしてステップＳ１１０１へ行く。
【００８０】
選択されたメニューが「ズーム速度指令ゲイン」場合は、ステップＳ１１０７へ行きズームデマンドのズーム速度ゲイン設定フローであるSetDemZSpeedGainSubを呼び出す。そしてステップＳ１１０１へ行く。
【００８１】
選択されたメニューが「出力曲線割付」場合は、ステップＳ１１０８へ行きズームデマンドのズーム速度指令の出力曲線設定フローであるSetDemZCurveSubを呼び出す。そしてステップＳ１１０１へ行く。
【００８２】
選択されたメニューが「戻る」の場合はステップＳ１１０９へ行く。ステップＳ１１０９ではひとつ上のメニュー階層に移動する。そして終了する。
【００８３】
図２１（ａ）、（ｂ）はSetMainMenuSubのフローで「ズームデマンド設定」が選択決定された場合のメニュー表示である。この画面にて、機能設定スイッチ３００の上下キー（３０１もしくは３０２）により設定したいメニューを選択し、決定キー３０５により選択決定する。
【００８４】
ズームデマンドスイッチ割付フローであるSetZDemSwFuncSubは、レンズスイッチ割付フローであるSetLensSwFuncSubにおけるステップＳ８０３の内容がズームデマンドのスイッチに置き換わったフローのため説明を省略する。
【００８５】
図２１（ｃ）、（ｄ）は、「ＳＷ割付」が選択決定された場合のメニュー表示である。この画面にて、機能設定スイッチ３００の上下キー（３０１もしくは３０２）により設定したいズームデマンドのスイッチを選択する。反転している文字が選択されているスイッチである。割り付けたいスイッチを左右キー（３０４もしくは３０３）にて、選択する。
【００８６】
ここではプッシュオンスイッチであるＶＴＲスイッチ、ＲＥＴ１スイッチ、ＲＥＴ２スイッチ、ＲＥＴ３スイッチの機能が入れ替え設定可能になっている。またトグルスイッチであるＲＣ１スイッチ、ＲＣ２スイッチ、ＥＮＧスイッチ、ＰＤスイッチの機能入れ替え設定が可能となっている。ＶＴＲスイッチは録画開始用、ＲＥＴ１〜３スイッチはビューファー映像を切り替えるためのスイッチである。ＥＮＧスイッチおよびＰＤスイッチはカメラマンがインカムで通話先をするときに使用するスイッチである。またＲＣ１スイッチとＲＣ２スイッチはシャトル機能（Ｓｈｔｌ）とフレーミング機能（ＦＲＭ）の設定が可能となっている。レンズ１０１のＡＵＸ１スイッチ、ＡＵＸ２スイッチの設定と同じであるため、設定メニューを図示していない。
【００８７】
図２１（ｅ）は、「ＳＷ内容割付」が選択決定された場合のメニューである。この画面にて、機能設定スイッチ３００の上下キー（３０１もしくは３０２）により設定したいズームデマンドのスイッチを選択する。反転している文字が選択されているスイッチである。割り付けたいスイッチ内容を左右キー（３０４もしくは３０３）にて、選択する。
【００８８】
ＲＣ１スイッチとＲＣ２スイッチはシャトル機能（Ｓｈｔｌ）とフレーミング機能（ＦＲＭ）の設定が可能となっている。
【００８９】
ズームデマンドサムリング設定フローであるSetZThumbRingDirSubは、レンズシーソー設定フローであるSetZSeesawDirSubにおけるステップＳ９０３の内容がズームデマンドのサムリングに置き換わったフローのため説明を省略する。
【００９０】
図２１（ｆ）は、「サムリング方向」が選択決定された場合のメニュー表示である。この画面にて、機能設定スイッチ３００の左右キー（３０４もしくは３０３）により設定したいズームデマンドのサムリングの割り付け方向を選択する。標準で割り付けられている方向をそのまま使用するか反転して使用するかを決めることが可能である。
【００９１】
図１２を用いてズームデマンドの出力曲線割付フローであるSetDemZCurveSubの説明を行う。
【００９２】
ステップＳ１２０１では機能設定スイッチ操作を確認する。操作が無い場合は、ステップＳ１２０１に行く。操作が有りと判断した場合は、ステップＳ１２０２に行く。
【００９３】
ステップＳ１２０２では操作されたスイッチの種類を確認する。左右キー（３０４もしくは３０３）の操作の場合は、ステップＳ１２０３に行く。
【００９４】
ステップＳ１２０３では出力曲線の変更をする。左キー３０４の操作の場合は、設定番号を小さくなるように変更する。また右キー３０３の操作の場合は、設定番号を大きくなるように変更する。そしてステップＳ１２０１に行く。上下キー（３０１もしくは３０２）の操作の場合は、ステップＳ１２０４に行く。
【００９５】
ステップＳ１２０４では選択中のメニューの変更を行う。上キー３０１の操作の場合は、選択されたメニューを一つ上に上げる。また下キー３０２の操作の場合は、選択されたメニューを一つ下に下げる。そしてステップＳ１２０１に行く。また決定キー３０５の操作が行われた場合は、ステップＳ１２０５に行く。
【００９６】
ステップＳ１２０５では選択された選択中のメニューの確認を行う。選択されたメニューが「戻る」の場合は、ステップＳ１２０６に行く。
【００９７】
選択されたメニューが「戻る」以外の場合は、ステップＳ１２０１へ行く。ステップＳ１２０６ではひとつ上のメニュー階層に移動する。そして終了する。
【００９８】
図２１（ｇ）は、「出力曲線割付」が選択決定された場合のメニュー表示である。この画面にて、機能設定スイッチ３００の左右キー（３０４もしくは３０３）により設定したい出力カーブを選択する。左キー３０４により番号が小さくなり、右キー３０３により番号が大きくなるようになっているため、設定したい番号を選択可能である。
【００９９】
ズームデマンドズーム速度指令ゲイン設定フローであるSetZDemZSpeedGainSubは、レンズズーム速度指令ゲイン設定フローであるSetLensZSpeedGainSubにおけるステップＳ１００３の内容がズームデマンドのズーム速度指令ゲイン設定に置き換わったフローのため説明を省略する。
【０１００】
図２１（ｈ）は、「ズーム速度指令ゲイン」が選択決定された場合のメニュー表示である。この画面にて、機能設定スイッチ３００の左右キー（３０４もしくは３０３）により設定したいズームデマンドのサムリングによる速度指令のゲインを選択する。左キー３０４によりゲインが小さくなり、右キー３０３によりゲインが大きくなるように設定が可能である。
【０１０１】
図１３を用いてフォーカスデマンド設定フローであるSetFDemFuncSubの説明を行う。
【０１０２】
ステップＳ１３０１では機能設定スイッチ操作を確認する。操作が無い場合は、ステップＳ１３０１に行く。操作が有りと判断した場合は、ステップＳ１３０２に行く。
【０１０３】
ステップＳ１３０２では操作されたスイッチの種類を確認する。左右キー（３０４もしくは３０３）の操作の場合は、ステップＳ１３０１に行く。上下キー（３０１もしくは３０２）の操作の場合は、ステップＳ１３０３へ行く。
【０１０４】
ステップＳ１３０３では選択中のメニューの変更を行う。上キー３０１の操作の場合は、選択されたメニューを一つ上に上げる。また下キー３０２の操作の場合は、選択されたメニューを一つ下に下げる。そしてステップＳ１３０１に行く。また決定キー３０５の操作が行われた場合は、ステップＳ１３０４に行く。ステップＳ１３０４では選択されたメニュー階層に移動を行う。
【０１０５】
選択されたメニューが「スイッチ割付」の場合は、ステップＳ１３０５へ行き、フォーカスデマンドスイッチ割付フローであるSetFDemSwFuncSubを呼び出す。そしてステップＳ１３０１へ行く。
【０１０６】
選択されたメニューが「回転方向」の場合は、ステップＳ１３０６へ行き、操作ノブの方向設定フローであるSetFOpeKnobDirSubを呼び出す。そしてステップＳ１３０１へ行く。
【０１０７】
選択されたメニューが「出力曲線割付」場合は、ステップＳ１３０７へ行きフォーカスデマンドの位置指令の出力曲線設定フローであるSetDemFCurveSubを呼び出す。そしてステップＳ１３０１へ行く。
【０１０８】
選択されたメニューが「ＡＦ  ＭＯＤＥ」場合は、ステップＳ１３０８へ行きＡＦ  ＭＯＤＥの定フローであるSetAfModeSubを呼び出す。そしてステップＳ１３０１へ行く。
【０１０９】
選択されたメニューが「ＡＦ追従性」場合は、ステップＳ１３０８へ行きＡＦ追従性の定フローであるSetAfTrackPerformSubを呼び出す。そしてステップＳ１３０１へ行く。
【０１１０】
選択されたメニューが「戻る」の場合はステップＳ１３０９へ行く。ステップＳ１３０９ではひとつ上のメニュー階層に移動する。そして終了する。
【０１１１】
図２２（ａ）、（ｂ）はSetMainMenuSubのフローで「フォーカスデマンド設定」が選択決定された場合のメニュー表示である。この画面にて、機能設定スイッチ３００の上下キー（３０１もしくは３０２）により設定したいメニューを選択し、決定キー３０５により選択決定する。
【０１１２】
フォーカスデマンドスイッチ割付フローであるSetFDemSwFuncSubは、レンズスイッチ割付フローであるSetLensSwFuncSubにおけるステップＳ８０３の内容がフォーカスデマンドのスイッチに置き換わったフローのため説明を省略する。
【０１１３】
図２２（ｃ）は、「ＳＷ割付」が選択決定された場合のメニュー表示である。
この画面にて、機能設定スイッチ３００の上下キー（３０１もしくは３０２）により設定したいフォーカスデマンドのスイッチを選択する。反転している文字が選択されているスイッチである。割り付けたいスイッチを左右キー（３０４もしくは３０３）にて、選択する。ここではＩＳスイッチとＡＦスイッチの機能が入れ替え設定可能になっている。ＩＳスイッチは防振開始を要求するためのスイッチで、ＡＦスイッチはＡＦ動作開始要求をするためのスイッチである。
【０１１４】
図１４を用いてフォーカスデマンドの操作ノブの回転方向設定フローであるSetFOpeKnobDirSubの説明を行う。
【０１１５】
ステップＳ１４０１では機能設定スイッチ操作を確認する。操作が無い場合は、ステップＳ１４０１に行く。操作が有りと判断した場合は、ステップＳ１４０２に行く。
【０１１６】
ステップＳ１４０２では操作されたスイッチの種類を確認する。左右キー（３０４もしくは３０３）の操作の場合は、ステップＳ１４０３に行く。
【０１１７】
ステップＳ１４０３では操作ノブの回転方向の変更をする。そしてステップＳ１４０１に行く。上下キー（３０１もしくは３０２）の操作の場合は、ステップＳ１４０４に行く。
【０１１８】
ステップＳ１４０４では選択中のメニューの変更を行う。上キー３０１の操作の場合は、選択されたメニューを一つ上に上げる。また下キー３０２の操作の場合は、選択されたメニューを一つ下に下げる。そしてステップＳ１４０１に行く。また決定キー３０５の操作が行われた場合は、ステップＳ１４０５に行く。
【０１１９】
ステップＳ１４０５では選択された選択中のメニューの確認を行う。選択されたメニューが「戻る」の場合は、ステップＳ１４０６に行く。選択されたメニューが「戻る」以外の場合は、ステップＳ１４０１へ行く。
【０１２０】
ステップＳ１４０６ではひとつ上のメニュー階層に移動する。そして終了する。
【０１２１】
ズームデマンドサムリング設定フローであるSetZThumbRingDirSubは、レンズシーソー設定フローであるSetZSeesawDirSubにおけるステップＳ９０３の内容がズームデマンドのサムリングに置き換わったフローのため説明を省略する。
【０１２２】
図２２（ｄ）は、「回転方向」が選択決定された場合のメニュー表示である。この画面にて、機能設定スイッチ３００の左右キー（３０４もしくは３０３）により設定したいフォーカスデマンドの操作ノブの割り付け方向を選択する。標準で割り付けられている方向をそのまま使用するか反転して使用するかを決めることが可能である。
【０１２３】
フォーカスデマンド出力曲線割付フローであるSetDemFCurveSubは、ズームデマンド出力曲線割付フローであるSetDemZCurveSubにおけるステップＳ１３０３の内容がフォーカスデマンドの出力曲線割付に置き換わったフローのため説明を省略する。
【０１２４】
図２２（ｅ）は、「出力曲線割付」が選択決定された場合のメニュー表示である。この画面にて、機能設定スイッチ３００の左右キー（３０４もしくは３０３）により設定したい出力カーブを選択する。左キー３０４もしくは右キー３０３により、Ｆａｒモード、Ｓｔａｎｄａｒｄモード、Ｎｅａｒモードを選択することが可能である。
【０１２５】
図１５を用いてＡＦ  ＭＯＤＥの設定フローであるSetAfModeSubの説明を行う。
【０１２６】
ステップＳ１５０１では機能設定スイッチ操作を確認する。操作が無い場合は、ステップＳ１５０１に行く。操作が有りと判断した場合は、ステップＳ１５０２に行く。
【０１２７】
ステップＳ１５０２では操作されたスイッチの種類を確認する。左右キー（３０４もしくは３０３）の操作の場合は、ステップＳ１５０３に行く。
【０１２８】
ステップＳ１５０３ではＡＦ  ＭＯＤＥの変更をする。そしてステップＳ１５０１に行く。上下キー（３０１もしくは３０２）の操作の場合は、ステップＳ１５０４に行く。
【０１２９】
ステップＳ１５０４では選択中のメニューの変更を行う。上キー３０１の操作の場合は、選択されたメニューを一つ上に上げる。また下キー３０２の操作の場合は、選択されたメニューを一つ下に下げる。そしてステップＳ１５０１に行く。また決定キー３０５の操作が行われた場合は、ステップＳ１５０５に行く。
【０１３０】
ステップＳ１５０５では選択された選択中のメニューの確認を行う。選択されたメニューが「戻る」の場合は、ステップＳ１５０６に行く。選択されたメニューが「戻る」以外の場合は、ステップＳ１５０１へ行く。
【０１３１】
ステップＳ１５０６ではひとつ上のメニュー階層に移動する。そして終了する。
【０１３２】
図２２（ｆ）は、「ＡＦ  ＭＯＤＥ」が選択決定された場合のメニュー表示である。この画面にて、機能設定スイッチ３００の左右キー（３０４もしくは３０３）により設定したいＡＦ  ＭＯＤＥを選択する。左キー３０４もしくは右キー３０３により、ＡＦを行わない「ＯＦＦ」、ＡＦ動作要求があるごとに一度だけＡＦを行う「ＰＡＲＴ  ＴＩＭＥ」、常時ＡＦを行う「ＦＵＬＬ  ＴＩＭＥ」を選択することが可能である。
【０１３３】
図１６を用いてＡＦ追従性速度設定フローであるSetAfTrackPerformSubの説明を行う。
【０１３４】
ステップＳ１６０１では機能設定スイッチ操作を確認する。操作が無い場合は、ステップ１７０１に行く。操作が有りと判断した場合は、ステップＳ１６０２に行く。
【０１３５】
ステップＳ１６０２では操作されたスイッチの種類を確認する。左右キー（３０４もしくは３０３）の操作の場合は、ステップＳ１６０３に行く。
【０１３６】
ステップＳ１６０３では出力曲線の変更をする。左キー３０４の操作の場合は、追従速度が遅くなるように値を小さく変更する。また右キー３０３の操作の場合は、追従速度が速くなるように値を大きく変更する。そしてステップＳ１６０１に行く。上下キー（３０１もしくは３０２）の操作の場合は、ステップＳ１６０４に行く。
【０１３７】
ステップＳ１６０４では選択中のメニューの変更を行う。上キー３０１の操作の場合は、選択されたメニューを一つ上に上げる。また下キー３０２の操作の場合は、選択されたメニューを一つ下に下げる。そしてステップＳ１６０１に行く。また決定キー３０５の操作が行われた場合は、ステップＳ１６０５に行く。
【０１３８】
ステップＳ１６０５では選択された選択中のメニューの確認を行う。選択されたメニューが「戻る」の場合は、ステップＳ１６０６に行く。選択されたメニューが「戻る」以外の場合は、ステップＳ１６０１へ行く。
【０１３９】
ステップＳ１６０６ではひとつ上のメニュー階層に移動する。そして終了する。
【０１４０】
図２１（ｇ）は、「ＡＦ追従性調整」が選択決定された場合のメニュー表示である。この画面にて、機能設定スイッチ３００の左右キー（３０４もしくは３０３）により設定したいＡＦ時のフォーカスレンズの追従性を選択する。左キー３０４により追従性がゆっくりとなり、右キー３０３により追従性が速くなるように設定が可能である。
【０１４１】
以上、フローを用いてレンズ１０１にある表示パネル３１１と機能設定スイッチ３００を用いて、レンズ１０１、ズームデマンド１０４、フォーカスデマンド１０５の機能設定の説明をしてきた。
【０１４２】
本システムにおいては、レンズ１０１にあるＣＰＵａ２３０１は機能設定時には常時ズームデマンド１０４やフォーカスデマンド１０５と機能設定情報の通信を行うことにより、各機能の設定が可能となっている。またレンズ１０１よりズームデマンド１０４に送信されてきた機能設定情報は、記憶部ｂ２３１２に記憶され、フォーカスデマンド１０５に送信されてきた機能設定情報は、記憶部ｃ２３２２に記憶される。
【０１４３】
ここで、表示スイッチ３１２のオン／オフによりレンズ１０１やズームデマンド１０４、フォーカスデマンド１０５の機能設定を行うようにしたが、レンズ１０１の電源が入っている場合に、ズームデマンド１０４やフォーカスデマンド１０５を装着した場合を説明する。
【０１４４】
レンズ１０１の電源が入っている状態で、ズームデマンド１０４やフォーカスデマンド１０５を装着した場合、メインメニューを表示せずに装着されたデマンドの設定が優先されて機能設定を行えるようにしてもよい。ズームデマンド１０４やフォーカスデマンド１０５の設定メニューを直接表示することで、設定したいメニューを選択することなく効率よく機能を設定することが可能になる。また、メインメニューでの選択ミスによる設定したいメニューが表示されることも防ぐことが可能となる。
【０１４５】
レンズ１０１、ズームデマンド１０４、フォーカスデマンド１０５における各スイッチの割り付けにおいて、スイッチ名称が印刷されているものに対しては、印刷された内容とスイッチの機能が異なってしまう場合がある。このときは別途シールなどを用意しておき割り付け後の名称のシールを貼ることで対応が可能である。
【０１４６】
表示パネル３１１に表示する各デマンドのメニューデータは、あらかじめレンズ１０１に記憶しておくことで、必要なメニュー内容を表示することが可能である。また、各デマンドがレンズ１０１に接続確認されたときに、各デマンドからレンズ１０１に必要な表示データを送ることによってメニュー表示することも可能である。
【０１４７】
また各ＲＥＴスイッチによるビューファーへの映像表示において、各ＲＥＴスイッチのカメラ映像への割り付けはカメラ１０２や図示していない副調整室などで行っているため、どのカメラ映像に割りつけられているかはレンズ１０１では分からないようになっている。そこでレンズ１０１がカメラ１０２との通信によりどのカメラに割り付けられているか情報を取得し、表示パネル３１１へ表示するようにしてもよい。通常はカメラマン１０６が各ＲＥＴスイッチを押してビューファーに表示される映像を確認している。しかし映像を確認したいカメラの電源が入っていない場合は、確認することができない。そこで各ＲＥＴスイッチに割り付けられているカメラのあらかじめ決められたＩＤや名称などを表示パネル３１１に表示することで、電源の入っていないカメラの割り付けの確認が可能となる。
【０１４８】
このように、レンズ１０１に搭載されている表示パネル３１１や機能設定スイッチ３００を使用して、ズームデマンド１０４やフォーカスデマンド１０５の機能設定を可能にすることにより、設定の操作性や視認性が向上する。また、各デマンドに機能設定用の表示パネルや機能設定スイッチを搭載することがなくなるため、コストダウンにもなる。
【０１４９】
以上、本発明の好ましい実施形態について説明したが、本発明はこれらの実施形態に限定されず、その要旨の範囲内で種々の変形及び変更が可能である。
【符号の説明】
【０１５０】
１０１  レンズ、１０２  カメラシステム、１０３  ペデスタル、
１０４  ズームデマンド、１０６  フォーカスデマンド、
３００  機能設定スイッチ、３１１  表示パネル、３１２  表示スイッチ
【図１】
2020136974.tif 000003
【図２（ａ）】
2020136974.tif 000004
【図２（ｂ）】
2020136974.tif 000005
【図３（ａ）】
2020136974.tif 000006
【図３（ｂ）】
2020136974.tif 000007
【図４（ａ）】
2020136974.tif 000008
【図４（ｂ）】
2020136974.tif 000009
【図５】
2020136974.tif 000010
【図６】
2020136974.tif 000011
【図７】
2020136974.tif 000012
【図８】
2020136974.tif 000013
【図９】
2020136974.tif 000014
【図１０】
2020136974.tif 000015
【図１１】
2020136974.tif 000016
【図１２】
2020136974.tif 000017
【図１３】
2020136974.tif 000018
【図１４】
2020136974.tif 000019
【図１５】
2020136974.tif 000020
【図１６】
2020136974.tif 000021
【図１７（ａ）】
2020136974.tif 000022
【図１７（ｂ）】
2020136974.tif 000023
【図１８】
2020136974.tif 000024
【図１９（ａ）】
2020136974.tif 000025
【図１９（ｂ）】
2020136974.tif 000026
【図１９（ｃ）】
2020136974.tif 000027
【図２０（ａ）】
2020136974.tif 000028
【図２０（ｂ）】
2020136974.tif 000029
【図２０（ｃ）】
2020136974.tif 000030
【図２０（ｄ）】
2020136974.tif 000031
【図２１（ａ）】
2020136974.tif 000032
【図２１（ｂ）】
2020136974.tif 000033
【図２１（ｃ）】
2020136974.tif 000034
【図２１（ｄ）】
2020136974.tif 000035
【図２１（ｅ）】
2020136974.tif 000036
【図２１（ｆ）】
2020136974.tif 000037
【図２１（ｇ）】
2020136974.tif 000038
【図２１（ｈ）】
2020136974.tif 000039
【図２２（ａ）】
2020136974.tif 000040
【図２２（ｂ）】
2020136974.tif 000041
【図２２（ｃ）】
2020136974.tif 000042
【図２２（ｄ）】
2020136974.tif 000043
【図２２（ｅ）】
2020136974.tif 000044
【図２２（ｆ）】
2020136974.tif 000045
【図２２（ｇ）】
2020136974.tif 000046
【図２３】
2020136974.tif 000047